(57)【特許請求の範囲】
【請求項１】
地中に埋設された埋設杭の引抜き方法であって、
削孔ケーシングの先端部の円周内面に沿って、リング状のワイヤを配置し、
前記リング状のワイヤの一端側を前記削孔ケーシングの先端縁部に掛かり留めし、
前記リング状のワイヤの他端側を引き上げ可能にし、
前記削孔ケーシングを、埋設杭を囲うように地中に下ろし、且つ前記削孔ケーシングの先端部を埋設杭の底部より深く位置づけ、
次いで、前記リング状のワイヤの他端側を前記削孔ケーシングとともに引き上げ、
前記削孔ケーシングの先端縁部の掛かり留めは、前記リング状のワイヤが、前記ワイヤの他端側を引き上げられるときに、前記埋設杭の底部を抱える離間した略平行とする幅を有する、
ことを特徴とする地中に埋設された埋設杭の引抜き方法。
【請求項２】
地中に埋設された埋設杭の引抜き方法であって、
削孔ケーシングの先端部の円周内面に沿って、リング状のワイヤを配置し、
前記リング状のワイヤの一端側を前記削孔ケーシングの先端縁部に掛かり留めし、
前記リング状のワイヤの他端側を引き上げ可能にし、
前記削孔ケーシングを、埋設杭を囲うように地中に下ろし、且つ前記削孔ケーシングの先端部を埋設杭の底部より深く位置づけ、
次いで、前記リング状のワイヤの他端側を前記削孔ケーシングとともに引き上げ、
前記リング状のワイヤは、一組の互いに交叉するワイヤであって、前記リング状のワイヤの他端側を前記削孔ケーシングとともに引き上げる際に、前記一組の互いに交叉するワイヤで格子状に前記埋設杭を抱える、
ことを特徴とする地中に埋設された埋設杭の引抜き方法。
【請求項３】
請求項１又は２において、
前記リング状のワイヤは、前記削孔ケーシングの先端部の円周内面に沿って釘状の引掛かり部材により、配置される、
ことを特徴とする地中に埋設された埋設杭の引抜き方法。
【請求項４】
地中に埋設された埋設杭の引抜きに使用する削孔ケーシング構造であって、
先端円周部に、外側にワイヤが経由される所定幅を有して形成された縁部と、
前記縁部と対応して、前記先端円周部に有する一対のワイヤ通し溝と、
前記先端円周部の内側に沿ってワイヤを掛かり留める引掛かり部を有し、
地中に埋設された埋設杭の引き上げ時に、
削孔ケーシングの前記引掛かり部に前記ワイヤが留められた状態で、前記地中に埋設された埋設杭を囲うように位置づけられ、前記削孔ケーシングが引き上げられる際に、前記ワイヤが前記引掛かり部から外れ、前記所定幅を有して形成された縁部と、前記一対のワイヤ通し溝により、所定間隔を有して、前記ワイヤが前記埋設杭の底面を抱える様に位置づけられる、
ことを特徴とする削孔ケーシング。
【請求項５】
地中に埋設された埋設杭の引抜きに使用する削孔ケーシング構造であって、
先端円周部に、それぞれ外側にワイヤが経由される所定幅を有して形成された一対の縁部と、
前記先端円周部に有する一対のワイヤ通し溝と、
前記先端円周部の内側に沿ってワイヤを掛かり留める引掛かり部を有し、
地中に埋設された埋設杭の引き上げ時に、
削孔ケーシングの前記引掛かり部に前記一組のワイヤが留められた状態で、前記地中に埋設された埋設杭を囲うように位置づけられ、前記削孔ケーシングが引き上げられる際に、前記ワイヤが前記引掛かり部から外れ、前記所定幅を有して形成された一対の縁部のそれぞれと、前記一対のワイヤ通し溝により、格子状に前記ワイヤが前記埋設杭の底面を抱える様に位置づけられる、
ことを特徴とする削孔ケーシング。
【請求項６】
請求項５において、
前記ワイヤは、二本で構成され、それぞれ一端が前記削孔ケーシングに留められ、前記一対の縁部の一方を経由して、前記一対のワイヤ通し溝の一方から引き出されている、
ことを特徴とする削孔ケーシング。
【請求項７】
請求項５において、
前記ワイヤは、前記一対の縁部と、前記一対の縁部の間の前記削孔ケーシングの外側を経由して、前記一対のワイヤ通し溝から両端が引き出されている、
ことを特徴とする削孔ケーシング。
【発明の詳細な説明】
【技術分野】
【０００１】
本発明は、埋設杭の引抜き方法、及びこれに用いる削孔ケーシング構造に関する。
【背景技術】
【０００２】
建造物の建て替えの際には、既存建造物の解体撤去や、地中に埋設された基礎杭（埋設杭）の引抜き工事が行われる。特許文献１、２には、埋設杭の引抜き工事に関する記載がある。
【０００３】
埋設杭の引抜き工事では、一般に、埋設杭周囲の地盤の削孔と、埋設杭の引抜きと、埋設杭を引き抜いた後に残る孔（以下、埋設孔という）の埋め戻しが行われる。
【０００４】
埋設杭周囲の地盤の削孔は、たとえば削孔ケーシングにより行われる。削孔ケーシングは、埋設杭の径より大きい内径を有する鋼製の管体であり、先端には、ダイヤビットと液体の噴射孔とが設けられる。
【０００５】
削孔ケーシングは、先端部の外周が埋設杭を取り囲むようにして設置され、回転駆動される。それとともに、先端の噴射孔から水（以下、削孔水という）が噴射される。削孔水により埋設杭周囲の地盤が溶けて泥水状になると、削孔ケーシングは、泥水状となった地盤に回転力と自重により進入し、孔壁を維持しながら削孔を行う。こうして、埋設杭周囲の地盤の削孔が行われる。
【０００６】
次に、削孔ケーシングが杭底まで削孔した後、削孔ケーシングを引き上げ、その後、埋設杭の上部にワイヤが巻き付けられ、このワイヤを引き上げることにより埋設杭が引き抜かれる。このとき、埋設杭を引き抜きながら埋設穴に流動化処理土が打設される。こうして、埋設穴の埋め戻しが行われる。埋設杭が引き抜かれると、流動化処理土の上に更に土砂が被せられ、流動化処理土が固化することで、地盤が復元される。
【先行技術文献】
【特許文献】
【０００７】
【特許文献１】特開平７−８２７４４号公報
【特許文献２】特許４８８６８９４号公報
【発明の概要】
【発明が解決しようとする課題】
【０００８】
ここで、埋設杭の大きさについては大小があり、直径２ｍ以上、全長１５ｍ、重量３９ｔ等に及ぶものから、０．３ｍ径等の小径の埋設杭がある。径の太い埋設杭は、構造体が堅固であるので、上記の引き抜き工法において、ワイヤにより一体に引き上げることが可能である。
【０００９】
これに対して、小径の埋設杭の場合は、その構造として途中で継ぎ足されて一体化されている形態のもの、あるいは、太い埋設杭に比して剛性が十分でなくワイヤで引き上げの途中で埋設杭の下端部（先端部）が分離されて、地中に残されてしまうという場合がある。このような場合、残された埋設杭の下端部は短く、且つ一般的に再度ワイヤで巻き付けて引き上げるということは困難である。
【００１０】
したがって、かかる場合の対策として、これまで一方法として、図１に概略を示す特殊な先端部構造の削孔ケーシングを用いる工法で対応していた。
【００１１】
図１は、かかる従来工法における削孔ケーシングの先端部を模式的に示した図である。図において、先に形成された削孔壁５内に位置する削孔ケーシング１の先端部と、引き抜き時に残された埋設杭の先端部２が示される。
【００１２】
削孔ケーシング１は、先端部にツメ機構３を有する。ツメ機構３は、配管４を通して送られる油圧で開閉が制御される。図１（Ａ）は、このツメ機構３が開かれた状態、図１（Ｂ）は、ツメ機構３が閉じられた状態を示す。
【００１３】
引き上げ時に残された埋設杭の先端部２より深く削孔ケーシング１が下ろされた状態で、ツメ機構３が閉じられる（図１（Ｂ）。これにより、ツメ機構３により埋設杭の先端部２が抱え支持された状態になる。図１（Ｃ）は、底面から見た模式図である。ツメ機構３が開かれた状態（点線部）から閉じられた状態を示され、閉じられた状態で埋設杭の先端部２が、ツメ機構３により抱えられた状態となる（図１（Ｂ））。
【００１４】
この状態で、削孔ケーシング１が引き上げられると埋設杭の先端部２もツメ機構３により支持された状態で引き上げられる。削孔ケーシング１が引き上げられた際に、ツメ機構３が開かれる、先端部２が、開放される。
【００１５】
上記のとおり、従来工法により引き上げ時に残された埋設杭の先端部２の引き上げが可能であるが、油圧機構により開閉されるツメ機構を有する特殊な削孔ケーシングを備えることが必要である。
【００１６】
かかる場合は、付加的な設備費が必要であり、結果として埋設杭の引き上げに要する費用が大きく成るという問題がある。
【００１７】
かかる点に鑑みて、本発明の目的は、簡易な構成で、引き上げ時に残された埋設杭の先端部２の引き上げを可能とする埋設杭の引抜き方法、及びこれに用いる削孔ケーシング構造を提供することにある。
【課題を解決するための手段】
【００１８】
上記の目的を達成する本発明に従う地中に埋設された埋設杭の引抜き方法は、その一側面として、
削孔ケーシングの先端部の円周内面に沿って、リング状のワイヤを配置し、
前記リング状のワイヤの一端側を前記削孔ケーシングの先端縁部に掛かり留めし、
前記リング状のワイヤの他端側を引き上げ可能にし、
前記削孔ケーシングを、埋設杭を囲うように地中に下ろし、且つ前記削孔ケーシングの先端部を埋設杭の底部より深く位置づけ、
次いで、前記リング状のワイヤの他端側を前記削孔ケーシングとともに引き上げ、
前記削孔ケーシングの先端縁部の掛かり留めは、前記リング状のワイヤが、前記ワイヤの他端側を引き上げられるときに、前記埋設杭の底部を抱える離間した略平行とする幅を有する、ことを特徴とする。
【００１９】
上記の目的を達成する本発明に従う地中に埋設された埋設杭の引抜き方法は、第二の側面として、
削孔ケーシングの先端部の円周内面に沿って、リング状のワイヤを配置し、
前記リング状のワイヤの一端側を前記削孔ケーシングの先端縁部に掛かり留めし、
前記リング状のワイヤの他端側を引き上げ可能にし、
前記削孔ケーシングを、埋設杭を囲うように地中に下ろし、且つ前記削孔ケーシングの先端部を埋設杭の底部より深く位置づけ、
次いで、前記リング状のワイヤの他端側を前記削孔ケーシングとともに引き上げ、
前記リング状のワイヤは、一組の互いに交叉するワイヤであって、前記リング状のワイヤの他端側を前記削孔ケーシングとともに引き上げる際に、前記一組の互いに交叉するワイヤで格子状に前記埋設杭を抱える、ことを特徴とする。
【００２２】
上記の目的を達成する本発明に従う地中に埋設された埋設杭の引抜きに使用する削孔ケーシング構造の第一の側面は、
地中に埋設された埋設杭の引抜きに使用する削孔ケーシング構造であって、
先端円周部に、外側にワイヤが経由される所定幅を有して形成された縁部と、
前記縁部と対応して、前記先端円周部に有する一対のワイヤ通し溝と、
前記先端円周部の内側に沿ってワイヤを掛かり留める引掛かり部を有し、
地中に埋設された埋設杭の引き上げ時に、
削孔ケーシングの前記引掛かり部に前記ワイヤが留められた状態で、前記地中に埋設された埋設杭を囲うように位置づけられ、前記削孔ケーシングが引き上げられる際に、前記ワイヤが前記引掛かり部から外れ、前記所定幅を有して形成された縁部と、前記一対のワイヤ通し溝により、所定間隔を有して、前記ワイヤが前記埋設杭の底面を抱える様に位置づけられる、ことを特徴とする。
【００２３】
上記の目的を達成する本発明に従う地中に埋設された埋設杭の引抜きに使用する削孔ケーシング構造の第二の側面は、
地中に埋設された埋設杭の引抜きに使用する削孔ケーシング構造であって、
先端円周部に、それぞれ外側にワイヤが経由される所定幅を有して形成された一対の縁部と、
前記先端円周部に有する一対のワイヤ通し溝と、
前記先端円周部の内側に沿ってワイヤを掛かり留める引掛かり部を有し、
地中に埋設された埋設杭の引き上げ時に、
削孔ケーシングの前記引掛かり部に前記一組のワイヤが留められた状態で、前記地中に埋設された埋設杭を囲うように位置づけられ、前記削孔ケーシングが引き上げられる際に、前記ワイヤが前記引掛かり部から外れ、前記所定幅を有して形成された一対の縁部のそれぞれと、前記一対のワイヤ通し溝により、格子状に前記ワイヤが前記埋設杭の底面を抱える様に位置づけられる、ことを特徴とする。
【００２４】
前記削孔ケーシング構造の第二の側面において、
前記ワイヤは、二本で構成され、それぞれ一端が前記削孔ケーシングに留められ、前記一対の縁部の一方を経由して、前記一対のワイヤ通し溝の一方から引き出されている、
ことを特徴とする削孔ケーシング。
【００２５】
さらに、前記削孔ケーシング構造の第二の側面において、
前記ワイヤは、前記一対の縁部と、前記一対の縁部の間の前記削孔ケーシングの外側を経由して、前記一対のワイヤ通し溝から両端が引き出されていることを特徴とする。
【発明の効果】
【００２６】
本発明によれば、既存の工法では引き上げが困難であった埋設杭の先端部を，特殊の工具を用いずに容易に引き上げることができる。
【図面の簡単な説明】
【００２７】
【図１】従来工法における削孔ケーシングの先端部を模式的に示した図である。
【図２】本発明に従う埋設杭の引抜き方法における図１に対応する削孔ケーシングの先端部構造を説明する概念図である。
【図３】円周部にリング状のワイヤを配置した実施例の削孔ケーシングの底面の写真である。
【図４Ａ】削孔工程の手順を示す図である（その１）。
【図４Ｂ】削孔工程の手順を示す図である（その２)。
【図５Ａ】埋設杭の引抜き工程の前半を説明する図である(その１)。
【図５Ｂ】埋設杭の引抜き工程の前半を説明する図である(その１)。
【図６】埋設杭の引抜き工程の後半を説明する図である。
【図７】削孔ケーシングを埋設杭の先端部の底面より深く位置づけた状態を説明する図である。
【図８】ワイヤを用いて、埋設杭の先端部を引き上げた状態を底面側から見た写真である。
【図９】本発明に従う他の実施例の削孔ケーシングの底面の模式図である。
【発明を実施するための形態】
【００２８】
以下、図面にしたがって本発明の実施の形態について説明する。実施の形態は、本発明の理解のためのものであり、本発明の技術的範囲はこれらの実施の形態には限定されず、特許請求の範囲に記載された事項とその均等物まで及ぶものである。
【００２９】
図２は、本発明に従う埋設杭の引抜き方法における図１に対応する削孔ケーシング１の先端部構造を説明する概念図である。
【００３０】
本発明の特徴は、削孔ケーシング１の先端部にリング状のワイヤ６を取り付けている点にある。
【００３１】
すなわち、図２において、（Ａ）は、本発明に従う削孔ケーシング１の先端部の断面を模式的に示した図である。図２（Ｂ）は、底面側から見た模式図である。
【００３２】
削孔ケーシング１は環状を成し、先端の円周縁部に沿って複数のダイヤピット７が設けられている。
【００３３】
さらに、削孔ケーシング１の先端の円周縁部に両側に溝１０を有する所定幅の縁辺１１と、これに対向するように円周縁部に一対の溝１２が形成されている。かかる溝１０と１２は、ワイヤ６の通し溝となる。
【００３４】
本発明の特徴として、リング状のワイヤ６が、削孔ケーシング１の環状端面の内周に沿って配置される。なお、環状端面の内周に沿って配置されるリング状のワイヤ６は、削孔ケーシング１の内周の複数個所に設けられた図示省略している釘状の引掛け部により掛かり留め保持される。
【００３５】
リング状のワイヤ６の閉じた一端側６１は、削孔ケーシング１の円周部に形成された縁辺１１に引掛けられ両側に有する溝１０を通して、削孔ケーシング１内に導かれる。
【００３６】
さらに、リング状のワイヤ６の閉じた他端側６２は、反対側の一対の溝１２を通して削孔ケーシング１の円周縁の外側に引き出されている。
【００３７】
図３は、削孔ケーシング１の円周部にリング状のワイヤ６を配置した実施例の削孔ケーシング１の底面の写真である。図３の参照番号部位は、図２に示した概念図の参照番号と対応する。
【００３８】
かかる削孔ケーシング１の円周部にリング状のワイヤ６を配置した構成を用いて、引き上げ時に残された埋設杭の先端部２の引き上げを行う工法の手順について以下に説明する。
【００３９】
図４Ａ，図４Ｂは、削孔工程の手順を示す図である。
【００４０】
図４Ａにおいて、（ａ）は、埋設杭の頭出し工程を示す。バックホーなどの油圧ショベル機４０は、埋設杭４１の周囲を削孔し、埋設杭４１上部の頭出しを行う。ついで、埋設杭４１の上部周囲に、移動クレーンなどにより筒状のスタンドパイプ４２が設置される。
【００４１】
次いで、図４Ａ（ｂ）に示すように、削孔装置４３が、移動式クレーン４４により、スタンドパイプ４２に対し位置決めして設置される。削孔ケーシング１の先端は、スタンドパイプ４２に挿入されるとともに、先端部の外周が埋設杭４１の上部を覆うように設置される。  
【００４２】
次いで、図４Ａ（ｃ）では、削孔ケーシング１が回転しながら、その先端から発泡水を噴射する。発泡水は、埋設杭４１の周囲の地盤に噴射される。これにより、埋設杭４１周囲の地盤が軟化して気泡泥土化する。そして、削孔ケーシング１が、回転力と自重とにより地中に進入する。
【００４３】
このとき、発泡水に含まれる発泡剤の作用により、削孔ケーシング１の外壁と削孔された埋設孔の孔壁との摩擦を低減することができる。さらに、気泡泥土の圧力により、削孔される孔壁の土圧に対抗でき、孔壁の崩落を防止できる。このようにして、削孔ケーシング１と孔壁との摩擦、あるいは、地下水圧や土圧による圧迫を軽減でき、削孔を促進することができる。
【００４４】
図４Ｂにおいて、（ｄ）に示すように、削孔ケーシング１は、回転しながら地中に進入する。回転方向は、いずれの方向であってもよいし、適宜に方向が変更されてもよい。そして、削孔ケーシング１の先端が埋設杭４１の底部の位置まで達した時点で、削孔が完了する。
【００４５】
埋設杭４１の底部が広がっており拡底部を形成していたり部分的に杭太り部が形成されていたりする場合には、削孔ケーシング１の先端に設けられるダイヤビット７（図２，図３参照）でこれらが削り取られる。これにより、埋設杭４１が地盤から縁切りされる。
【００４６】
次いで、図４Ｂ（ｅ）に示すように、削孔ケーシング１が、もとの位置まで引き上げられる。このようにして、削孔工程が終了する。
【００４７】
次に、埋設杭の引抜き工程を説明する。
【００４８】
図５Ａ，図５Ｂは、埋設杭の引抜き工程の前半を説明する図である。
【００４９】
まず、図５Ａにおいて、（ａ）、（ｂ）に示すように、削孔ケーシング１に金属製のワイヤ５０が取り付けられ、その状態で再度削孔ケーシング１が埋設杭４１周囲の地盤に挿入される。図５Ａ（ｂ）に示すように、ワイヤ５０には環状部５０ａが設けられ、環状部５０ａが削孔ケーシング１の先端部に取り付けられる。たとえば、環状部５０ａは、複数のダイヤビット７の外側に巻き付けられる。
【００５０】
次いで、図５Ｂにおいて、（ｃ）に示すように、削孔ケーシング１の先端が埋設杭４１の中間あるいは中間より上部寄りに達した時点で、移動式クレーン４４を駆動させて削孔ケーシング１を水平方向に振動させる。これにより、ワイヤ５０の環状部５０ａが、削孔ケーシグ１から外れ、埋設杭４１の外周に掛る。
【００５１】
次いで、図５Ｂ（ｄ）に示すように、ワイヤ５０の環状部５０ａを地中に残し、削孔ケーシング１を地中から引き上げる。
【００５２】
図６は、埋設杭の引抜き工程の後半を説明する図である。
【００５３】
まず、図６（Ａ）に示すように、移動式クレーン４４、４４ａによる共吊り、若しくは単独でワイヤ５０を吊り上げる。ここで、ワイヤ５０の環状部５０ａは、図６Ｂ）に示すように、予め二重にされ、くぐりつり状に形成される。これにより、ワイヤ５０を引き上げるときに環状部５０ａの内径が狭まり、埋設杭４１に確実に巻着する。
【００５４】
そして、図６（Ｃ）に示すように、ワイヤ５０の端部を移動式クレーン４４、４４ａで引き上げ、ワイヤ５０が巻きつけられた埋設杭４１を引き抜く。
【００５５】
このとき、埋設杭４１周囲の地盤は、発泡水により気泡泥土化しており、埋設杭４１との摩擦が軽減される。また、地下水圧や埋設孔４１の孔壁の土圧が抑制され、孔壁の崩落が防止されるので、引抜きが容易になる。
【００５６】
しかし、先に説明した様に、埋設杭４１の径が小さい場合は、途中で折れて先端部４１ａが、分離した状態になる。したがって、かかる場合は、埋設杭４１の大部が引き上げられても、先端部４１ａ（図１：２）が地中に取り残された状態になる。
【００５７】
本発明は、かかる取り残された埋設杭４１の先端部４１ａを容易に引き上げる方法を提供するものである。
【００５８】
すなわち、図２，図３に示したように、削孔ケーシング１の先端部内周に沿って、ワイヤ６を配置した状態で、削孔ケーシング１を再び、埋設穴に下ろす。この際、埋設杭４１の先端部４１ａの周囲の地盤は、発泡水により気泡泥土化している。したがって、図７に示すように、容易に削孔ケーシング１の先端部を埋設杭４１の先端部４１ａの底面より深く位置づけることができる。
【００５９】
図７は、削孔ケーシング１を埋設杭４１の先端部４１ａの底面より深く位置づけた状態を説明する図である。
【００６０】
図７において、（Ａ）は、削孔ケーシング１と埋設杭４１の先端部４１ａの関係を示す断面模式図である。（Ｂ）は、埋設杭４１の先端部４１ａの底面側から見た模式図である。
【００６１】
削孔ケーシング１の先端部を埋設杭４１の先端部４１ａの底面より深く位置づけた状態で、ワイヤ６の先端側６２を引き上げる。これにより、削孔ケーシング１の先端部内周に沿って配置されているワイヤ６は、削孔ケーシング１の内周から外れ、埋設杭４１の先端部４１ａの底面側に略平行に位置づけられ、埋設杭４１の先端部４１ａを抱える状態となる（図７（Ｂ））。
【００６２】
次いで、削孔ケーシング１ともに、ワイヤ６に張力を与えながら引き上げると、埋設杭４１の先端部４１ａをワイヤ６に抱えられた状態で引き上げることが可能である。
【００６３】
図８は、ワイヤ６を用いて、埋設杭４１の先端部４１ａを引き上げた状態を底面側から見た写真である。図８（Ａ）に写真のみを、更に図解容易のために図８（Ｂ）に埋設杭４１の先端部４１ａと、ワイヤ６の関係を示している。
【００６４】
この様に，本発明方法により、既存の工法では引き上げが困難であった埋設杭４１の先端部４１ａを，特殊の工具を用いずに容易に引き上げることができる。
【００６５】
図９は、本発明に従う他の実施例の削孔ケーシングの底面の模式図である。
【００６６】
先の実施例(図２（Ｂ），図７（Ｂ）)では、ワイヤ６により、二本の平行線で埋設杭４１の先端部４１ａを支える構成であった。これに対して、図９に示す例では、二本の平行線の交叉する組により格子状に埋設杭４１の先端部４１ａを支える構成として、より確実に安定して先端部４１ａを抱えることが出来る。
【００６７】
図９（Ａ）に示す構成は、二本のワイヤを用い、それぞれの一端を削孔ケーシング１に留め（９ａ、９ｂ）、図２（Ｂ）に示したと同様に途中を削孔ケーシング１の外側を経由（６ａ１，６ｂ１）する様にして二本のワイヤの他端６ａ，６ｂを引き出している。したがって、二本のワイヤの他端６ａ，６ｂを同時に引上げることにより、図９（Ａ）に示す様に、格子状のワイヤにより埋設杭４１の先端部４１ａを支えることが出来る。
【００６８】
これに対して、図９（Ｂ））に示す構成は、一本のワイヤ６を用い、図９（Ａ）の一端を削孔ケーシング１に留める（９ａ、９ｂ）ことでなく、削孔ケーシング１の外側を経由する経路６ｃで繋いだ構成により、一本のワイヤ６の両端を削孔ケーシング１から引き出している。
【００６９】
したがって、ワイヤ６の両端を引上げることにより、図９（Ｂ）に示す様に、格子状のワイヤにより埋設杭４１の先端部４１ａを支えることが出来る。
【符号の説明】
【００７０】
１      削孔ケーシング
４１    埋設杭
２，４１ａ  取り残された埋設杭の先端部
６      ワイヤ
７      ダイヤピット
【要約】
【課題】簡易な構成で、引き上げ時に残された埋設杭の先端部の引き上げを可能とする埋設杭の引抜き方法、及びこれに用いる削孔ケーシング構造を提供する。
【解決手段】削孔ケーシングの先端部の円周内面に沿って、リング状のワイヤを配置し、前記リング状のワイヤの一端側を前記削孔ケーシングの先端縁部に掛かり留めし、前記リング状のワイヤの他端側を引き上げ可能にし、前記ケーシングを、埋設杭を囲うように地中に下ろし、且つ前記ケーシングの先端部を埋設杭の底部より深く位置づけ、次いで、前記リング状のワイヤの他端側を前記ケーシングとともに引き上げることを特徴とする。
【選択図】    図７【図１】
0005632981.tif 000002
【図２】
0005632981.tif 000003
【図４Ａ】
0005632981.tif 000004
【図４Ｂ】
0005632981.tif 000005
【図５Ａ】
0005632981.tif 000006
【図５Ｂ】
0005632981.tif 000007
【図３】
0005632981.tif 000008
【図６】
0005632981.tif 000009
【図７】
0005632981.tif 000010
【図８】
0005632981.tif 000011
【図９】
0005632981.tif 000012